(57)【要約】【課題】本発明は、初期調整及び蛍光分析作業性の軽減を図り得、且つ、観察形態の変更を容易に実現し得るようにして、使い勝手の向上を図り得るようにすることにある。【解決手段】このマイクロプレート本体１０の一方面のウエル１を覆う蓋２に、膜材で形成した収容部４を設け、この収容部４に薬剤又は蛍光試薬５を収容し、この蓋２の収容部４を、マイクロプレート本体１０のウエル１に対向配置して該収容部４を破ることにより、その収容部４内の薬剤又は蛍光試料５をウエル１に供給可能に構成し、初期の目的を達成した。【選択図】　図１
2004093314.tif 000002
【特許請求の範囲】
【請求項１】
一方面に凹部が設けられたマイクロプレート本体と、
このマイクロプレート本体の一方面を覆うものであって、前記凹部に対向して膜材で形成した薬剤又は試料の収容される収容部が設けられた蓋と
を具備することを特徴とするマイクロプレート。
【請求項２】
前記蓋の収容部は、前記マイクロプレート本体の凹部の開口側面と該凹部の底面との間に位置されることを特徴とする請求項１記載のマイクロプレート。
【請求項３】
前記蓋の収容部は、前記マイクロプレート本体の凹部の開口側面に対向する一方面上に位置されることを特徴とする請求項１記載のマイクロプレート。
【請求項４】
前記蓋は、収容部を前記マイクロプレート本体のうちの１個の凹部に対応して複数個設けたことを特徴とする請求項１乃至３のいずれか記載のマイクロプレート。
【請求項５】
前記マイクロプレート本体の凹部には、薬剤又は試料が収容されることを特徴とする請求項１乃至４のいずれか記載のマイクロプレート。
【請求項６】
マイクロプレート本体の凹部を覆うものであって、前記凹部に対向して膜材で形成した薬剤又は試料の収容される収容部を設けたことを特徴とするマイクロプレート用蓋。
【請求項７】
一方面が前記マイクロプレート本体の凹部の開口側面に接合されることを特徴とする請求項６記載のマイクロプレート用蓋。
【請求項８】
薬剤又は試薬が収容される筒状の収容部と、
この収容部の両端を閉塞する膜材で形成された膜状部と
を具備することを特徴とするピペットキャップ。
【発明の詳細な説明】
【０００１】
【発明の属する技術分野】
本発明は、例えば蛍光相関分光法（ＦＣＳ）による解析等に供される蛍光分析装置に用いられるマイクロプレート、マイクロプレート用蓋及びピペットキャップに関する。
【０００２】
【従来の技術】
周知のように、蛍光標識された物質の特性を分析する蛍光分析装置では、試料を分析する前に、蛍光標識の蛍光強度の基準値を求めたり、機器の動作を調整したりする初期調整を行う必要がある。このような蛍光分析装置の初期調整は、オペレータが初期調整用の蛍光試薬を計量し、その蛍光試薬をピペットでマイクロプレートの凹部であるウエルに移して行われる。
【０００３】
そして、試料を蛍光分析する際には、オペレータが蛍光試薬と試料とを計量及び混合して混合液を作り、その混合液をマイクロプレートのウエルにピペット、あるいは分注機で供給する。
【０００４】
ところが、このように初期調整や蛍光分析のために、オペレータが蛍光試薬の計量やウエルへの供給作業を行うと、その作業時間分だけ試料の蛍光分析を行うまでの時間がかかるという問題を有する。
【０００５】
そこで、最近では、初期調整の簡略化を図るために特開平４―９６６６号公報や特開平７―２３９３３４号公報に開示されるものが提案されている。
【０００６】
前者には、マイクロプレートの各ウエルの内面に分析対象物と反応する物質を固相化し、その後、安定化剤を添加した保存液で、各ウエルを満たし、包装用フィルムで封入した構成が開示される。
【０００７】
また、後者には、試料を混合するための容器に供給し、その後、第２液をピペットを用いて上記容器に収容して両液を撹拌することで、一様な混合液を調合することが開示される。
【０００８】
【発明が解決しようとする課題】
しかしながら、上記従来技術では、両者とも蛍光試薬の計量作業や、ウエルへの供給作業を伴うものであるために、その初期調整作業や蛍光分析時における作業性が劣るという問題を有する。
【０００９】
そして、前者にあっては、予めウエル内に分析対象物と反応する物質を固相化している構成上、初期調整時に任意のウエルを選択することが困難であるうえ、対象物と反応する任意の物質を選択することが困難である。このため、初期調整及び蛍光分析を行うには、ウエルや蛍光試薬の選択に制限があり、その使い勝手が劣るという問題を有する。
【００１０】
本発明は、上記の事情に鑑みてなされたもので、初期調整及び蛍光分析作業性の軽減を図り得、且つ、観察形態の変更を容易に実現し得るようにして、使い勝手の向上を図り得るようにしたマイクロプレート、マイクロプレート用蓋及びピペットキャップを提供することを目的とする。
【００１１】
【課題を解決する手段】
本発明は、一方面に凹部が設けられたマイクロプレート本体と、このマイクロプレート本体の一方面を覆うものであって、前記凹部に対向して膜材で形成した薬剤又は試料の収容される収容部が設けられた蓋とを備えてマイクロプレートを構成した。
【００１２】
上記構成によれば、蓋の収容部に所望の薬剤又は試料を収容し、この収容部に収容した薬剤又は試料を、マイクロプレート本体の凹部に対向配置して、収容部を破ることにより、該凹部に収容する。従って、観察作業時における初期調整及び蛍光分析作業の軽減が図れて作業性の向上が図れる。
【００１３】
また、これによれば、蓋の収容部に異なる薬剤又は試薬を収容することにより、異なる初期調整又は蛍光分析を行うことが可能となることにより、容易に観察形態の多様化が図れて、使い勝手が向上される。
【００１４】
また、本発明は、前記蓋の収容部を、前記マイクロプレート本体の凹部の開口側面と該凹部の底面との間に位置させるように構成した。これによれば、マイクロプレート本体を複数枚、積重して保管することが可能となり、安全にして容易な保管が実現される。
【００１５】
また、本発明は、前記蓋の収容部を、前記マイクロプレート本体の凹部の開口側面に対向する一方面上に位置させるように構成した。これによれば、マイクロプレート本体上に被着した蓋の収容部を、例えば指やローラ等により押し潰すことにより、蓋の収容部内の薬剤又は試薬を、マイクロプレートの凹部に供給することができることで、容易な供給作業が実現される。
【００１６】
また、本発明は、前記収容部を、前記マイクロプレート本体のうちの１個の凹部に対応して複数個設けて構成した。これによれば、複数個の収容部にそれぞれ異なる薬剤又は試料を分離して収容することにより、さらに、初期調整及び蛍光分析の多様化の促進を図ることが可能となる。
【００１７】
また、本発明は、前記マイクロプレート本体の凹部に、薬剤又は試料を収容して構成した。これによれば、さらに観察形態の多様化を図ることが可能となる。
【００１８】
また、本発明は、マイクロプレート本体の凹部を覆うものであって、前記凹部に対向して膜材で形成した薬剤又は試料の収容される収容部を設けてマイクロプレート用蓋を構成した。
【００１９】
上記構成によれば、蓋の収容部に所望の薬剤又は試料を収容し、この収容部に収容した薬剤又は試料を、マイクロプレート本体の凹部に対向配置して、収容部を破ることにより、該凹部に収容させることができる。従って、観察作業時における初期調整及び蛍光分析作業の軽減に寄与することが可能となる。
【００２０】
また、これによれば、蓋の収容部に異なる薬剤又は試薬を収容することにより、異なる初期調整又は蛍光分析を行うことが可能となることにより、観察形態の多様化に寄与することができる。
【００２１】
また、本発明は、一方面を前記マイクロプレート本体の凹部の開口側面に接合させて取付るように構成した。これによれば、マイクロプレート本体の凹部との位置ずれが防止され、信頼性のある組付けが可能となる。
【００２２】
また、本発明は、薬剤又は試薬が収容される筒状の収容部と、この収容部の両端を閉塞する膜材で形成された膜状部とを備えてピペットキャップを構成した。
【００２３】
上記構成によれば、収容部の一方端をマイクロプレート本体の凹部に対向させて、該収容部に収容された薬剤又は試薬を、他方端から押し出してマイクロプレート本体の凹部に供給する。従って、観察作業時における初期調整及び蛍光分析作業の軽減が図れて作業性の向上が図れる。
【００２４】
また、これによれば、収容部に異なる薬剤又は試薬を収容することにより、異なる初期調整又は蛍光分析を行うことが可能となることにより、観察形態の多様化に寄与することができる。
【００２５】
【発明の実施の様態】
以下、本発明の実施の形態に係るマイクロプレート、マイクロプレート用蓋及びピペットキャップについて、図面を参照して説明する。
【００２６】
（第１の実施の形態）
図１は、第１の実施の形態に係るマイクロプレートを示すもので、マイクロプレート本体１０には、その一方面に、例えば試料が収容される多数の凹部であるウエル１が所定の間隔に設けられる。そして、このマイクロプレート本体１０の一方面上には、そのウエル１を覆ようにマイクロプレート用蓋を構成する蓋２が取付け配置される（図２参照）。
【００２７】
蓋２は、例えば樹脂材料で成形したフィルム状の膜材で密閉形成される複数の収容部４が膜状部３を介して所定間隔に分離配置されて形成され、その収容部４には、観察形態に応じた所望の薬剤又は試薬である蛍光試薬５が選択的に収容される。そして、この蓋２は、その収容部４が上記マイクロプレート本体１０のウエル１の開口側面１ａより一部が内部（底面１ｂ）方向に侵入された状態で、マイクロプレート本体１０の一方面に取り付けられる。
【００２８】
ここで、蛍光試薬５が収容部に収容された蓋を取付けたマイクロプレート本体１０を用いて、例えば使用する蛍光標識の蛍光強度の基準値を得るための蛍光分析装置の初期調整について説明する。
【００２９】
先ず、オペレーターは、マイクロプレート本体１０上に取り付けた蓋２の収容部４にニードル又はピペット６を刺して、その膜を破り、該収容部４内に収容される蛍光試薬５を、ウエル１の中に供給する（図３を参照）。このようにして、蓋２の各収容部４の蛍光試薬５を、マイクロプレート本体１０の各ウエル１に供給する。
【００３０】
次に、オペレーターは、蓋２をマイクロプレート本体１０から剥がして、図示しない蛍光分析装置のプレート支持台にマイクロプレート本体１０を載せて、蛍光分析装置（図示せず）の運転を開始する。ここで、オペレーターは、各ウエル１の蛍光試薬５から得られた蛍光強度を基準値として蛍光分析装置（図示せず）に記憶させて初期調整を行う。
【００３１】
上記蛍光試薬５は、濃縮された液状のものでも、冷凍乾燥させた紛状のものでもよい。この場合は、収容部４を破る際にピペット６で適量の溶媒（水など）を加えてから初期調整に用いる。そして、蛍光試薬５は、蓋２の収容部４に密封されているので、マイクロプレート本体１０と共に、輸送又は保存を容易に行うことが可能となる。
【００３２】
また、上記初期調整と異なる試料の蛍光分析に用いる場合には、以下の手順（ａ）〜（ｃ）で蛍光試薬５と試料とをマイクロプレート本体１０のウエル１内に供給して分析を実行する。
【００３３】
（ａ）予め、試料をピペット６に収容し、このピペット６でマイクロプレート本体１０上に被着した蓋２の収容部４を破り、該収容部４内の蛍光試薬５をマイクロプレート本体１０のウエル１内に供給すると共に、ピペット６内の試料をマイクロプレート本体１０のウエル１内に供給する。
【００３４】
（ｂ）マイクロプレート本体１０のウエル１内に予め試料を収容しておいてからマイクロプレート本体１０の一方面に収容部４に蛍光試薬５を収容した蓋２を配置し、その後、該蓋２の収容部４を破って該収容部４内の蛍光試薬５を、マイクロプレート本体１０のウエル１に供給する。
【００３５】
（ｃ）蛍光試薬５を蓋２の収容部４に収容して、該蓋２をマイクロプレート本体１０上に配置し、その収容部４を破って内部の蛍光試薬５をウエル１内に供給し、その後、蓋２をマイクロプレート本体１０から剥がして試料をウエル１内に入れる。
【００３６】
このようにして、初期調整と略同様に、蓋２に予め蛍光試薬５が用意されているので、オペレーターが蛍光試薬と試料とを計量して混合する過程を行わずに、試料の蛍光分析を行うことができる。
【００３７】
このように、上記マイクロプレートは、このマイクロプレート本体１０の一方面のウエル１を覆う蓋２に、膜材で形成した収容部４を設け、この収容部４に薬剤又は蛍光試薬５を収容し、この蓋２の収容部４を、マイクロプレート本体１０のウエル１に対向配置して該収容部４を破ることにより、その収容部４内の薬剤又は蛍光試薬５をウエル１に供給可能に構成した。
【００３８】
これによれば、予め、薬剤又は蛍光試薬５の設定が可能となることにより、観察作業時における初期調整及び蛍光分析作業の軽減が図れて、蛍光分析装置（図示せず）の初期調整や試料の蛍光分析を迅速に行うことができ、その作業性の向上が図れる。
【００３９】
また、これによれば、蓋２の収容部４に異なる薬剤又は蛍光試薬５を収容することにより、１枚のマイクロプレート本体１０を用いて異なる初期調整又は蛍光分析を行うことが可能となることにより、容易に観察形態の多様化が図れるため、その使い勝手が向上される。
【００４０】
さらに、これによれば、蓋２によってマイクロプレート本体１０のウエル１への不純物の混入を防ぐことができるので、精度よく初期調整や試料の蛍光分析を行うことができる。
【００４１】
また、上記マイクロプレート用蓋は、膜材で形成した収容部４をマイクロプレート本体１０のウエル１に対応して膜状部３を介して連設して、この収容部４に薬剤又は蛍光試薬５を収容した状態で、その収容部４をウエル１に対向させてマイクロプレート本体１０の一方面に取付けるように構成した。これにれば、予め、その収容部４に薬剤又は蛍光試薬５を収容しておくことにより、観察作業時における初期調整及び蛍光分析作業の軽減が図れ、作業性の向上に寄与することができる。
【００４２】
また、これによれば、蓋２の収容部４に異なる薬剤又は試薬を収容することにより、１枚のマイクロプレート本体１０を用いて異なる初期調整又は蛍光分析を行うことが可能となることにより、容易に観察形態の多様化に寄与することができる。
【００４３】
なお、上記実施の形態では、蓋構造として、収容部４を、マイクロプレート本体１０のウエル１の開口側面１ａより底面１ｂ方向に一部を侵入させた状態でマイクロプレート本体１０の一方面に配するように構成した場合で説明したが、これの限ることなく、その他、例えば図４及び図５に示すように構成することも可能である。但し、図４及び図５においては、上記図１と同一部分について同一符号を付してその詳細な説明を省略する。
【００４４】
図４の蓋構造は、蓋２の一方面に薬剤又は試料の収容される複数の収容部４１を、膜状部３を介して連設して配し、その一方面をマイクロプレート本体１０のウエル１上に取付けた状態で、その収容部４１がマイクロプレート本体１０のウエル１の開口側面１ａとウエル１の底面１ｂとの間に配されるように構成したものである。
【００４５】
この蓋構造によれば、さらに、蓋２の外側となる面がマイクロプレート本体１０の一方面に平坦に配されることにより、蓋２で覆ったままのマイクロプレート本体１０を安定して積み重ねることができるため、プレート保管を簡易に実現することが可能となる。
【００４６】
また、図５の蓋構造は、蓋２の他方面に薬剤又は試料の収容される複数の収容部４２を、膜状部３を介して連設して配し、その一方面をマイクロプレート本体１０のウエル１上に取付けた状態で、その収容部４２がマイクロプレート本体１０のウエル１に対向して、該ウエル１の開口側面１ａより外側に配されるように構成したものである。
【００４７】
この蓋構造によれば、ニードルやピペット６を用いなくても、オペレーターが指やローラーなどを用いて薬剤又は蛍光試薬５を、マイクロプレート本体１０のウエル１内に押し出して収容させることが可能となることにより、さらに、蛍光試料５のウエル１内への簡便にして容易な供給が実現される。
【００４８】
（第２の実施の形態）
本発明の第２の実施の形態に係るマイクロプレート及びマイクロプレート用蓋について図６を参照して説明する。但し、図６において、上記図１と同一部分について、同一符号を付してその説明を省略する。
【００４９】
即ち、マイクロプレート本体１０には、その一方面に、例えば試料が収容される多数の凹部であるウエル１が設けられる。そして、このマイクロプレート本体１０の一方面上には、そのウエル１を覆ようにマイクロプレート用蓋を構成する蓋が取付け配置される。
【００５０】
蓋２は、例えば同様に樹脂材料で成形したフィルム状の膜材により２個で１組を構成する複数組の収容部４３ａ、４３ｂが、膜状部３の両面にそれぞれ分割されて設けられる。言い換えると、１組の収容部４３ａ、４３ｂは、マイクロプレート本体１０のウエル１の１個に対応する収容部を、複数、例えば２個に分離して膜状部３の両面に配して構成したものである。そして、これら１組の収容部４３ａ、４３ｂには、観察形態に応じて濃縮蛍光試薬液又は蛍光試薬紛体と適量の溶媒、蛍光試薬と試料等の組合せで薬剤、溶媒、試料等の２種が選択的に収容される。
【００５１】
上記構成により、蓋２は、その１組の収容部４３ａ、４３ｂのうち一方が、上記マイクロプレート本体１０のウエル１内に収容された状態で、マイクロプレート本体１０の一方面に取り付けられる。そして、このマイクロプレート本体１０を用いて分析等を行う場合には、ニードルやピペット６などを刺すか、指やローラーで押し出すかして対の収容部４３ａ、４３ｂを破って薬剤、溶媒、試料等の２種類をマイクロプレート本体１０のウエル１内に供給し、初期調整を含む蛍光分析等の観察が行われる。
【００５２】
本第２の実施の形態によれば、ウエル１内に、略同時に薬剤、溶媒、試料など２種を供給することができることにより、作業の軽減を実現したうえで、さらに、蛍光分析装置の初期調整や試料の蛍光分析の多様化が図れて迅速な観察作業が可能となる。
【００５３】
また、第２の実施の形態においては、２個で１組を構成する収容部４３ａ、４３ｂを蓋２に設けて構成した場合で説明したが、この１組当たりの個数に限ることなく、３個以上で１組を構成する収容部を蓋に分離配置するように構成することも可能である。
【００５４】
（第３の実施の形態）
本発明の第３の実施の形態に係るピペットキャップ２０について、図７及び図８を参照して説明する。但し、図７及び図８において、上記図１及び図６と同一部分について、同一符号を付してその説明を省略する。
【００５５】
即ち、ピペットキャップ２０は、薬剤又は蛍光試薬５を収容する円筒状、漏斗状等の筒状をした複数の収容部７が支持部８を介してマイクロプレート本体１０のウエル１に対向して連設される。この複数の収容部７は、マイクロプレート本体１０のウエル１に入る外径を有し、その内壁の上端部７ａと下端部７ｂとの間でピペット６の先端が密着する径を有する。
【００５６】
また、上記収容部７の上下両端には、例えば樹脂材料で成形したフィルム状の膜材で構成される膜状部９ａ、９ｂが被着されて、その上下両端の開口が閉塞される。
【００５７】
上記構成において、例えば試料の蛍光分析を行う場合、先ず、オペレーターは、ピペットキャップ２０の下面側の膜状部を剥がし、収容部の下端部７ｂを、マイクロプレート本体１０のウエル１に挿入する。続いて、オペレーターは、上面側の膜状部９ａを剥がし、適量の試料を収容したピペット６を、収容部７の上端部７ａより挿入し、該ピペット６の先端と収容部６の内壁とを密着させる（図８を参照）。
【００５８】
ここで、オペレーターは、ピペット６内の試料と共に、収容部７内に収容された蛍光試薬５をウエル１内に押し出す。その後、オペレーターは、ピペット６を収容部７から離脱させ、図示しない蛍光分析装置のプレート支持台にマイクロプレート本体１０を載せて蛍光分析を実行する。
【００５９】
また、蛍光分析に代えて蛍光分析装置の初期調整を行う場合には、濃縮蛍光試薬液や試薬紛体を収容部７に収容し、適量の溶媒をピペット６に収容する。そして、同様に収容部をマイクロプレート本体１０のウエル１に収容し、上述したのと同様にピペット６内の溶媒と共に、収容部７内に収容した薬剤をマイクロプレート本体１０のウエル１内に押し出て収容し、初期調整を実行する。
【００６０】
上記説明では、膜状部９ａを収容部７から剥がして収容部７の上面側を露出させて、ピペット６を収容部７に挿入して蛍光試薬５及びピペット６の試薬をマイクロプレート本体１０のウエル１に供給するように構成した場合で説明したが、これに限ることなく、膜状部９ａをニードル又はピペット６で破って収容部７内に挿入し、蛍光試薬５及びピペット６の試薬をマイクロプレート本体１０のウエル１に供給するように構成しても良い。
【００６１】
このように上記ピペットキャップ２０は、薬剤又は試薬が収容される筒状の収容部７の両端を膜材で形成された膜状部９ａ、９ｂで閉塞し、その収容部７の一方端を、マイクロプレート本体１０のウエル１に対向させて、該収容部７に収容された薬剤又は試薬を、収容部７の他方端から押し出してマイクロプレート本体１０のウエル１に供給し得るように構成した。これによれば、容易に薬剤、溶媒、試料など２種を、ウエル１内に供給することができることで、観察作業時における蛍光分析装置の初期調整及び蛍光分析作業の軽減が図れて、その作業性の向上が図れる。
【００６２】
（第４の実施の形態）
本発明の第４の実施の形態に係るマイクロプレート及びマイクロプレート用蓋について、図９及び図１０を参照して説明する。即ち、この第４の実施の形態においては、上記第１の実施の形態に係る上記図５と同様に蓋２の収容部４２を、一方面に突出させて形成し、この収容部４２内に蛍光試薬が入ったカプセル１１を収容する。そして、この蓋２は、その膜状部３をマイクロプレート本体１０の一方面に取付けた状態で、その収容部４２がマイクロプレート本体１０のウエル１の開口側面１ａに対向配置される。
【００６３】
上記構成により、蛍光分析等を実行する場合には、オペレーターが、指やローラーなどを用いて収容部４２をよりカプセル１１を押し出してウエル１内に収容し、膜状部３をマイクロプレート本体１０の一方面から剥がし取る。次いで、オペレーターは、ニードルやピペット６でカプセル１１を突き刺して、カプセル１１中の蛍光試薬５をウエル１内に流出させ、ニードルやピペット６をウエル１から離脱させると共にカプセル１１をウエル１内から除去する（図１０を参照）。その後、上述した第１乃至第３の実施の形態と同様に試料の蛍光分析や蛍光分析装置の初期調整を実行する。
【００６４】
本第４の実施の形態によれば、蛍光試薬５をマイクロプレート本体１０のウエル１内に簡便にして容易に、しかも、確実に供給することが可能となり、試薬供給作業の確実化が図れる。
【００６５】
また、上記説明では、カプセル１１を蓋２の収容部４に収容したが、予めマイクロプレート本体１０のウエル１内に収容しておいてもよい。さらに、蓋２の収容部４２に蛍光試薬５を収納したカプセル１１と共に、他の薬剤等を収容するように構成することも可能である。
【００６６】
なお、本第４の実施の形態においては、上述した蓋構造に限ることなく、その他、図１、図５及び図６に示す蓋構造においても適用可能で同様の効果が期待される。
【００６７】
（第５の実施の形態）
本発明の第５の実施の形態に係るマイクロプレート及びマイクロプレート用蓋について、図１１を参照して説明する。但し、図１１においては、上記図５と略同様に構成されることで、同一部分について、同一符号を付してその説明を省略する。
【００６８】
即ち、第５の実施の形態においては、マイクロプレート本体１０のウエル１内に蛍光試薬５又は濃縮蛍光試薬液や試薬紛体を収容する。そして、このマイクロプレート本体１０のウエル１上には、上記図５で説明した蓋構造と同様にウエル１の外側に配されるように膜材で形成した収容部４２が設けられた蓋２を取付ける。そして、この蓋２の収容部４２には、例えば試料１２又は適量の溶媒が収容される。
【００６９】
上記構成により、蛍光分析等の作業を行う場合には、先ず、オペレーターは、指やローラーなどを用いて蓋２の収容部４２を潰して試料１２又は適量の溶媒を、ウエル１内に押し出し、該ウエル１内の蛍光試薬５又は濃縮蛍光試薬液や試薬紛体と混合する。その後、上述した他の実施の形態と同様に試料１２の蛍光分析や蛍光分析装置の初期調整が実行される。
【００７０】
本第５の実施の形態においては、マイクロプレート本体１０のウエル１内に容易に試料１２又は適量の溶媒を供給できるため、試料１２の蛍光分析や蛍光分析装置の初期調整作業が軽減され、迅速な作業が実現される。
【００７１】
また、第５の実施の形態によれば、ウエル１内に冷凍乾燥させた蛍光試薬５を収容し、収容部４に純水を収容した場合、蛍光試薬入りマイクロプレート本体１０を冷凍保存することができるので、長期の保存や輸送が可能となり、その取扱いの簡便化が図れる。
【００７２】
また、上述した第１乃至第５の実施の形態においては、オペレーターが収容部４２を破ったり膜状部３を剥がしたりして蓋２をマイクロプレート本体１０から離脱させるように構成した場合で説明したが、これに限ることなく、その他、蛍光分析装置や分注装置を用いて一連の注入作業を自動的に行うように構成することも可能である。
【００７３】
さらに、上記第１乃至第５の実施の形態においては、既にマイクロプレート本体１０上に所望の蓋２を取付け配置するように構成した場合で説明したが、この蓋構造に限ることなく、その他、例えば図１２に示すように、任意の大きさの蓋２ａや他の種類の蛍光試薬が収容された蓋２ｂをマイクロプレート本体１０のウエル１上に取付け配置するように構成してもよい。
【００７４】
この場合は、オペレーターが、マイクロプレート本体１０の任意のウエル１の位置に任意の蛍光試薬等を対向配置することができることにより、様々な初期調整や蛍光分析を効率よく行うことができる。
【００７５】
また、マイクロプレート本体１０のウエル１毎に分割した蓋２を用いれば、１枚のマイクロプレート本体１０でウエル１毎に薬剤や試料を変えて初期調整や蛍光分析を行うことができることにより、さらに観察形態の多様化を図ることができる。
【００７６】
さらに、蓋構造としては、蓋２（２ａ、２ｂ）とマイクロプレート本体１０とはウエル１の壁の上端で粘着シートなどで接着するようにしても、圧着や融着などで接合するようにしてもよい。
【００７７】
よって、本発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００７８】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００７９】
【発明の効果】
以上詳述したように、本発明によれば、初期調整及び蛍光分析作業性の軽減を図り得、且つ、観察形態の変更を容易に実現し得るようにして、使い勝手の向上を図り得るようにしたマイクロプレート、マイクロプレート用蓋及びピペットキャップを提供することができる。
【図面の簡単な説明】
【図１】本発明の実施の形態に係るマイクロプレート及びマイクロプレート用蓋を示した構成図である。
【図２】図１の外観を示した配置図である。
【図３】図１の初期調整動作を説明するために示した動作説明図である。
【図４】第１の実施の形態の他の実施例に係るマイクロプレート及びマイクロプレート用蓋を示した構成図である。
【図５】第１の実施の形態の他の実施例に係るマイクロプレート及びマイクロプレート用蓋を示した構成図である。
【図６】本発明の第２の実施の形態に係るマイクロプレート及びマイクロプレート用蓋を示した構成図である。
【図７】本発明の第３の実施の形態に係るピペットキャップを示した構成図である。
【図８】図７の初期調整動作を説明するために示した動作説明図である。
【図９】本発明の第４の実施の形態に係るマイクロプレート及びマイクロプレート用蓋を示した構成図である。
【図１０】図９の蛍光分析動作を説明するために示した動作説明図である。
【図１１】本発明の第５の実施の形態に係るマイクロプレート及びマイクロプレート用蓋を示した構成図である。
【図１２】本発発明の他の実施の形態を説明するために示した構成図である。
【符号の説明】
１　…　ウエル
１ａ　…　開口側面
１ｂ　…　底面
２、２ａ、２ｂ　…　蓋
３　…　膜状部
４、４１、４２、４３ａ、４３ｂ　…　収容部
５　…　蛍光試薬
６　…　ピペット
７　…　収容部
７ａ　…　上端部
７ｂ　…　下端部
８　…　支持部
９ａ、９ｂ　…　膜状部
１０　…　マイクロプレート本体
１１　…　カプセル
１２　…　試料
２０　…　ピペットキャップ
【図１】
2004093314.tif 000003
【図２】
2004093314.tif 000004
【図３】
2004093314.tif 000005
【図４】
2004093314.tif 000006
【図５】
2004093314.tif 000007
【図６】
2004093314.tif 000008
【図７】
2004093314.tif 000009
【図８】
2004093314.tif 000010
【図９】
2004093314.tif 000011
【図１０】
2004093314.tif 000012
【図１１】
2004093314.tif 000013
【図１２】
2004093314.tif 000014